(57)【要約】【課題】本発明は、軽量化を図り、低コストで生産性に優れ、共振周波数の変化や損失の少ないアンテナ装置を提供することを目的としている。【解決手段】本発明は、非接触でデータの通信を行うＲＦＩＤシステムにおけるアンテナ装置１であって、アンテナと背面の金属面の間に平板状の軟磁性体５を設けた構成において、軟磁性体５の央部に貫通孔を設けたことにより軽量化を図り、背面の金属内で発生する渦電流の影響を抑制し、通信特性を向上させたアンテナ装置１である。【選択図】図１
2006101109.tif 000002
【特許請求の範囲】
【請求項１】
非接触でデータの通信を行うＲＦＩＤシステムにおけるアンテナ装置であって、アンテナと背面の金属面の間に平板状の軟磁性体を設けた構成において、軟磁性体の央部に貫通孔を設けたことを特徴とするアンテナ装置。
【請求項２】
前記アンテナ装置において、平面内で１ターン以上のループで構成されるアンテナコイルであって、アンテナと背面の金属面の間に平板状の軟磁性体を設けた構成において、軟磁性体の央部に貫通孔を設けたことを特徴とする請求項１に記載のアンテナ装置。
【請求項３】
前記軟磁性体において、央部に設けられた貫通孔の数が１以上であることを特徴とする請求項１〜２に記載のアンテナ装置。
【請求項４】
前記軟磁性体において、央部の片面に凹部を設けたことを特徴とする請求項１〜２に記載のアンテナ装置。
【請求項５】
前記軟磁性体において、央部の片面に設けられた凹部の数が１以上であることを特徴とする請求項４に記載のアンテナ装置。
【請求項６】
前記軟磁性体において、央部の両面に凹部を設けたことを特徴とする請求項１〜２に記載のアンテナ装置。
【請求項７】
前記軟磁性体において、央部の両面に設けられた凹部の数が１以上であることを特徴とする請求項６に記載のアンテナ装置。
【請求項８】
前記軟磁性体において、貫通孔や凹部が設けられた央部がＲＦＩＤシステムの該平面において、アンテナコイルの設置面よりも内側に位置していることを特徴とする請求項１〜７に記載のアンテナ装置。
【請求項９】
前記軟磁性体において、央部に設けた貫通孔の形状が、三角形以上の多角形、円、楕円であることを特徴とする請求項１乃至８のいずれかに記載のアンテナ装置。
【請求項１０】
前記軟磁性体において、央部に設けた片面又は両面の凹部の形状が、三角形以上の多角形、円、楕円であることを特徴とする請求項１乃至８のいずれかに記載のアンテナ装置。
【請求項１１】
前記軟磁性体が、アモルファス合金、パーマロイ、電磁鋼、珪素鉄、Ｆｅ−Ａｌ合金、センダスト合金、又は、軟磁性フェライトのいずれかであることを特徴とする請求項１乃至１０のいずれかに記載のアンテナ装置。
【請求項１２】
前記軟磁性体が、金属酸化物を樹脂バインダーに混合して塗工し、乾燥したシートを積層させた磁性シートであることを特徴とする請求項１乃至１１のいずれかに記載のアンテナ装置。
【請求項１３】
前記軟磁性体が、軟磁性フェライトであって、フェライト粉体を乾式成形し、焼成することによりバルク形状としたことを特徴とする請求項１乃至１０のいずれかに記載のアンテナ装置。
【請求項１４】
前記軟磁性体が、アモルファス箔又はアモルファス箔の積層材であることを特徴とする請求項１乃至１０のいずれかに記載のアンテナ装置。
【請求項１５】
前記軟磁性体において、軟磁性体の央部に設けた貫通孔、軟磁性体の央部の片面又は両面に設けた凹部に樹脂等の非磁性体を充填した構成とすることを特徴とする請求項１乃至１４のいずれかに記載のアンテナ装置。
【発明の詳細な説明】
【技術分野】
【０００１】
本発明は、従来のＲＦＩＤアンテナが、１３．６ＭＨｚの帯域でＩＣタグに電波を飛ばしＩＣタグの情報を読む機能があるが、ＩＣタグやＲＦＩＤアンテナの背面に磁界に影響する金属棚や電解物質があると著しく通信特性が悪くなる問題が指摘されていた。
【０００２】
本発明は、ＩＣタグやＲＦＩＤアンテナの背面に磁界に影響する金属や電解物質があってもＩＣタグを使用するとき、ＲＦＩＤアンテナに対し裏面に低ロス（Ｈｉ−Ｑ）の磁性体を用いることで通信特性を向上させる磁性体を検討し、背面の磁界の影響物体（渦電流発生）に対してできるだけ影響を遮蔽するための磁性体の構造に関し、この磁性体を備えたアンテナ装置に関する。
【背景技術】
【０００３】
近年、ＩＣチップを備えたトランスポンダとリーダ／ライタ（又はライタ）との間でデータの交信を行うＲＦＩＤシステムが普及している。このＲＦＩＤシステムは、トランスポンダ及びリーダ／ライタの各々に備えたアンテナを使用してデータの交信を行うため、トランスポンダをリーダ／ライタから数ｃｍ乃至数十ｃｍ離しても通信が可能であり、汚れや静電気等に強いという長所から、病院の薬品管理、図書館の本の管理、工場の生産管理、物流の管理、入退室管理等の様々な分野に利用されるようになってきている。
【０００４】
このようなＲＦＩＤシステムのリーダ／ライタ及びトランスポンダに用いるアンテナとして、安価で優れた性能を有することから、従来は、空芯のコイルが用いられていた。この空芯コイルのアンテナとしては、例えば、（特許文献１）に示すように、絶縁層で被覆された導線を渦巻状に巻回してベース板に貼り付けて形成したものや、ベース板に堆積したアルミニウム箔や銅箔等の金属箔をエッチングにより除去して形成したもの等が知られている。
【特許文献１】特開平４−３２１１９０号公報
【発明の開示】
【発明が解決しようとする課題】
【０００５】
しかしながら、上述した空芯コイルのアンテナでは、磁束がベース板を貫通する方向に発生するため、アンテナコイルを金属製の物品に密着させた場合、磁束がベース板を貫通して金属製の物品に到達し、これにより、金属内に渦電流が発生し、アンテナコイルとコンデンサとで形成される共振回路の共振周波数が変化したり、損失が増加するという問題があった。つまり、タグに電力を供給する搬送波（交流磁界）と、その上に重ねられた変調データ信号のすべてが、金属面に誘起された反磁界Ｈｄ成分に打ち消され、大きく減衰してしまう事態となる。そのため、交信距離が短くなり、ＲＦＩＤシステムの機能を果たさなくなるといった課題があった。
【０００６】
特に、リーダ／ライタの場合は、トランスポンダと異なり、リーダ／ライタを駆動する回路や制御回路、電源等の多くの電子回路が必要であり、これらの電子回路や該回路の保持部材には、金属材料が多く含まれるため、リーダ／ライタ用アンテナはこれらの金属材料の影響を受けて共振周波数の変化や損失の増加が大きくなりやすい。このため、従来のリーダ／ライタでは、アンテナと電子回路とを別のケースに収め、その間をケーブルで接続するといった構造が用いられている。しかしながら、このような構造では、装置を持ち運ぶたびに電子回路のケースとアンテナのケースとを分断し、使用の度にケーブルで接続しなければならず、使用上不便である。また、持ち運ぶ場合には、ケースを鉄やアルミニウム、マグネシウム等の金属製とし、小型で強固なものとすることが望ましいが、空芯コ
イルのアンテナをケースに接して配置すると、共振周波数の変化や損失の増加は著しいものとなる。また、ケースがプラスチック製であっても、アルミニウム等の蒸着膜がある場合や、充填材または塗装層にアルミフレーク等の金属が含まれる場合にはコイルの損失が著しくなってしまう場合がある。
【０００７】
また、上記問題を解決する手段として、図８に示すＲＦＩＤシステムにおけるリーダ／ライタ用アンテナのアンテナパターン１０２と金属ケース等の導電性物品との間に、平板状の軟磁性体１０４を設けたものが考案されている。このようにアンテナパターン１０２と金属ケース等の導電性物品との間に、軟磁性体１０４を介在させることにより、アンテナパターン１０２で発生する磁束を軟磁性体１０４に通し、金属内で発生する渦電流による共振周波数の変化や損失の増加を抑制することができる。
【０００８】
しかしながら、ＲＦＩＤシステムにおいては軽量化が求められており、アンテナパターン１０２の背面に軟磁性体１０４を設置することにより、ＲＦＩＤシステムの重量が増加するといった課題があった。特に、軟磁性体がフェライト、アモルファス、センダスト等の合金等の材料で構成されている場合、特にこの課題が顕著になる。
【０００９】
ＲＦＩＤシステムの重量が増加すると、ＲＦＩＤシステム取り付け物品の重量が増加し、移動や設置の障害となっていた。
【課題を解決するための手段】
【００１０】
本発明は、非接触でデータの通信を行うＲＦＩＤシステムにおけるアンテナ装置であって、アンテナと背面の金属面の間に平板状の軟磁性体を設けた構造において、軟磁性体の央部に貫通孔を設けた構成とする。
【発明の効果】
【００１１】
本発明は、ＲＦＩＤシステムにおけるアンテナ装置において、アンテナと背面の金属面との間の軟磁性体の央部に、貫通孔または凹部を形成しているので、アンテナコイルで発生する磁束を軟磁性体に通し、背面の金属内で発生する渦電流による共振周波数の変化や損失の増加を抑制しつつ、さらに、貫通孔または凹部が形成された分だけ重量り削減が実現できる。例えば、フェライトの場合、比重が５〜５．５ｇ／ｃｍ3であり貫通孔または凹部が形成されるとその体積分の重量が減少するのでＲＦＩＤシステムの軽量化を図る上で有効である。
【００１２】
また、央部に貫通孔や凹部を設けた構造とすることにより、軟磁性体の材料を削減でき、低コスト化が実現できる。
【００１３】
また、央部に設けた貫通孔や凹部を、樹脂等の軽量部材で充填することにより、軟磁性体の強度を維持することが可能となる。
【００１４】
以上の構造により、ＲＦＩＤシステムの軽量化が図られ、背面の金属内で発生する渦電流による共振周波数の変化や損失の増加を抑制しつつ、通信距離を確保できる。
【発明を実施するための最良の形態】
【００１５】
本発明の請求項１に記載の発明は、非接触でデータの通信を行うＲＦＩＤシステムにおけるアンテナ装置であって、アンテナと背面の金属面の間に平板状の軟磁性体を設けた構成において、軟磁性体の央部に貫通孔を設けたことを特徴とするアンテナ装置であって、ＲＦＩＤシステムの軽量化が図られ、背面の金属内で発生する渦電流による共振周波数の変化や損失の増加を抑制しつつ、通信距離を確保できる。
【００１６】
本発明の請求項２に記載の発明は、アンテナ装置において、平面内で１ターン以上のループで構成されるアンテナコイルであって、アンテナと背面の金属面の間に平板状の軟磁性体を設けた構成において、軟磁性体の央部に貫通孔を設けたことを特徴とする請求項１に記載のアンテナ装置であって、ＲＦＩＤシステムの軽量化が図られ、背面の金属内で発生する渦電流による共振周波数の変化や損失の増加を抑制しつつ、通信距離を確保できる。
【００１７】
本発明の請求項３に記載の発明は、軟磁性体において、央部に設けられた貫通孔の数が１以上であることを特徴とする請求項１〜２に記載のアンテナ装置であって、軟磁性体の軽量化が図れるとともに、貫通孔を複数とすることにより、軟磁性体の強度の低下を防止することができる。
【００１８】
本発明の請求項４に記載の発明は、軟磁性体において、央部の片面に凹部を設けたことを特徴とする請求項１〜２に記載のアンテナ装置であって、央部の片面に凹部を設けた構成とすることにより、軟磁性体の軽量化が図れるとともに、央部が凹部であるため、軟磁性体の一部が平面上で連続構造となり強度の低下を防止することができる。
【００１９】
本発明の請求項５に記載の発明は、軟磁性体において、央部の片面に設けられた凹部の数が１以上であることを特徴とする請求項４に記載のアンテナ装置であって、軟磁性体の軽量化が図れるとともに、強度の低下を防止することができる。
【００２０】
本発明の請求項６に記載の発明は、軟磁性体において、央部の両面に凹部を設けたことを特徴とする請求項１〜２に記載のアンテナ装置であって、軟磁性体の軽量化が図れるとともに、強度の低下を防止することができる。
【００２１】
本発明の請求項７に記載の発明は、軟磁性体において、央部の両面に設けられた凹部の数が１以上であることを特徴とする請求項６に記載のアンテナ装置であって、軟磁性体の軽量化が図れるとともに、強度の低下を防止することができる。
【００２２】
本発明の請求項８に記載の発明は、軟磁性体において、貫通孔や凹部が設けられた央部がＲＦＩＤシステムの該平面において、アンテナコイルの設置面よりも内側に位置していることを特徴とする請求項１〜７に記載のアンテナ装置であって、貫通孔や凹部が設けられた央部位置がアンテナコイルの設置面よりも内側に位置しているため、アンテナコイルの背面の金属内で発生する渦電流による共振周波数の変化や損失の増加を抑制しつつ、通信距離を確保できるとともに、軟磁性体の軽量化をはかることができる。
【００２３】
本発明の請求項９に記載の発明は、軟磁性体において、央部に設けた貫通孔の形状が、三角形以上の多角形、円、楕円であることを特徴とする請求項１乃至８のいずれかに記載のアンテナ装置であって、軟磁性体の軽量化が図れるとともに、種々の形状の貫通孔を形成できるので、多様なアンテナパターンに対応でき、生産性の向上、低コスト化にも対応できる。
【００２４】
本発明の請求項１０に記載の発明は、軟磁性体において、央部に設けた片面又は両面の凹部の形状が、三角形以上の多角形、円、楕円であることを特徴とする請求項１乃至８のいずれかに記載のアンテナ装置であって、軟磁性体の軽量化が図れるとともに、種々の形状の貫通孔を形成できるので、多様なアンテナパターンに対応でき、生産性の向上、低コスト化にも対応できる。
【００２５】
本発明の請求項１１に記載の発明は、軟磁性体が、アモルファス合金、パーマロイ、電磁鋼、珪素鉄、Ｆｅ−Ａｌ合金、センダスト合金、又は、軟磁性フェライトのいずれかで
あることを特徴とする請求項１乃至１０のいずれかに記載のリーダ／ライタ用アンテナであって、効率良くアンテナコイルの背面の金属内で発生する渦電流による共振周波数の変化や損失の増加を抑制しつつ、通信距離を確保できる。
【００２６】
本発明の請求項１２に記載の発明は、軟磁性体が、金属酸化物を樹脂バインダーに混合して塗工し、乾燥したシートを積層させた磁性シートであることを特徴とする請求項１乃至１１のいずれかに記載のアンテナ装置であって、柔軟性のあり、衝撃に強い軟磁性体を作製でき、さらに、軽量化を図ることが可能となる。
【００２７】
本発明の請求項１３に記載の発明は、軟磁性体が、軟磁性フェライトであって、フェライト粉体を乾式成形し、焼成することによりバルク形状としたことを特徴とする請求項１乃至１０のいずれかに記載のアンテナ装置であって、生産性に優れた軟磁性体で、軽量化を実現できる。
【００２８】
本発明の請求項１４に記載の発明は、軟磁性体が、アモルファス箔又はアモルファス箔の積層材であることを特徴とする請求項１乃至１０のいずれかに記載のアンテナ装置であって、衝撃に強い軟磁性体で、軽量化を実現できる。
【００２９】
本発明の請求項１５に記載の発明は、軟磁性体において、軟磁性体の央部に設けた貫通孔、軟磁性体の央部の片面又は両面に設けた凹部に樹脂等の非磁性体を充填した構成とすることを特徴とする請求項１乃至１４のいずれかに記載のアンテナ装置であって、軟磁性体の貫通孔や凹部に樹脂等の非磁性体を充填することにより、軟磁性体の軽量化を図りつつ、強度を保持できる。
【００３０】
以下、本発明の実施の形態について、図面を用いて説明する。
【００３１】
（実施の形態）
１はＲＦＩＤシステムの内部構造を示したアンテナ装置、２は樹脂ケース（本体）、３はアンテナ基板上に形成されたアンテナパターン、４は整合回路、５は軟磁性体、６は樹脂スペーサー、７は金属板、８は樹脂ケース（裏フタ）である。
【００３２】
まず、アンテナ装置１の構造において、各図のそれぞれに表されている構造の特徴とその効果を簡略に説明する。
【００３３】
図１（ａ）には、本発明の実施の形態におけるアンテナ装置の分解状態での斜視図を示す。アンテナパターン３と整合回路４が形成されたアンテナ基板の下方に、軟磁性体５が設置されている。軟磁性体５の下方には、樹脂スペーサー６、金属板７が設置されている。以上の部品を、樹脂ケース（本体）２と樹脂ケース（裏フタ）８に収納されている。軟磁性体５の央部には、貫通孔が設けられており、ＲＦＩＤシステムの軽量化が図られ、背面の金属内で発生する渦電流による共振周波数の変化や損失の増加を抑制しつつ、通信距離を確保できる効果がある。図１（ｂ）には、本発明の実施の形態における軟磁性体の上面図を示す。図１（ｃ）には、本発明の実施の形態における軟磁性体の側面図を示す。図１（ｄ）には、本発明の実施の形態における軟磁性体の斜視図を示す。
【００３４】
図２（ａ）には、本発明の実施の形態における軟磁性体の上面図を示す。図２（ｂ）には、本発明の実施の形態における軟磁性体の側面図を示す。図２（ｃ）には、本発明の実施の形態における軟磁性体の斜視図を示す。この構造により、軟磁性体の軽量化が図れるとともに、央部が凹部１０であるため、軟磁性体の一部が平面上で連続構造となり強度の低下を防止することができる。
【００３５】
図３（ａ）には、本発明の実施の形態における軟磁性体の上面図を示す。図３（ｂ）には、本発明の実施の形態における軟磁性体の側面図を示す。図３（ｃ）には、本発明の実施の形態における軟磁性体の斜視図を示す。この構造により、軟磁性体の軽量化が図れるとともに、央部の両面が凹部であるため、軟磁性体の一部が平面上で連続構造となり強度の低下を防止することができる。
【００３６】
図４（ａ）には、本発明の実施の形態における軟磁性体の上面図を示す。図４（ｂ）には、本発明の実施の形態における軟磁性体の側面図を示す。図４（ｃ）には、本発明の実施の形態における軟磁性体の斜視図を示す。この構造により、軟磁性体の軽量化を図りつつ、強度を保持できる。
【００３７】
図５（ａ）には、本発明の実施の形態における軟磁性体の上面図を示す。図５（ｂ）には、本発明の実施の形態における軟磁性体の側面図を示す。図５（ｃ）には、本発明の実施の形態における軟磁性体の斜視図を示す。この構造により、軟磁性体の軽量化が図れるとともに、多様なアンテナパターンに対しても対応できる。
【００３８】
図６（ａ）には、本発明の実施の形態における軟磁性体の上面図を示す。図６（ｂ）には、本発明の実施の形態における軟磁性体の側面図を示す。図６（ｃ）には、本発明の実施の形態における軟磁性体の斜視図を示す。軟磁性体２２は、軟磁性体１７を２層以上積層した構造のものである。１６は、軟磁性体１７を積層した接合部分である。この構造により、軟磁性体の軽量化が図れるとともに、薄型化も可能となる。
【００３９】
図７（ａ）には、従来の技術におけるアンテナ装置の断面図を示す。図７（ｂ）には、本発明の実施の形態におけるアンテナ装置の断面図を示す。軟磁性体に貫通孔を形成しても、磁界強度は低下せず、通信距離を確保できる。また、背面の金属内で発生する渦電流による共振周波数の変化や損失の増加を抑制するといった効果も維持できる。
【００４０】
以上が、各図面の構造の概略とそのポイントを説明したものである。
【００４１】
次に、各部の詳細について説明する。
【００４２】
１はＲＦＩＤシステムの内部構造を示したアンテナ装置であり、図１などに表されるように、樹脂ケース（本体）２、アンテナ基板上に形成されたアンテナパターン３、整合回路４、軟磁性体５、樹脂スペーサー６、金属板７、樹脂ケース（裏フタ）８で構成される。
【００４３】
３はアンテナパターンであり、ループアンテナ構造となっている。ループアンテナの構造としては、中央に開口部を備えたループ形状であればよく、その形状は円形または略矩形または多角形のいずれであってもよい。さらに、ループアンテナの材質としては、導電性の金属製線材、金属製板材、金属製箔材、または金属製筒材等から適宜選択することができる。
【００４４】
４は整合回路を示したものであり、整合回路４を接続することにより、設置場所の周囲の金属等によるアンテナ特性への影響を受けにくくするともに不整合による定在波の発生を抑えることで動作の安定した損失の少ないアンテナとなる。
【００４５】
５は軟磁性体であり、軟磁性体５はアンテナパターン３の背面に配置され、その材質としては、軟磁性フェライト、アモルファス合金、パーマロイ、電磁鋼、珪素鉄、Ｆｅ−Ａｌ合金、センダスト合金等を用いることができる。軟磁性体の形状として、例えば、フェライトの場合、板状またはシート状のものを用いることができる。シート状のフェライト
は、フェライト粉末を樹脂材料等の有機結合体内に混練させ、乾燥させることにより作製できる。磁性体シートを用いることで、柔軟性を確保し、耐衝撃性や耐久性を向上させることができる。９は、軟磁性体５の央部に設けた貫通孔を示したものである。貫通孔を設けることにより、軽量化を図ることができる。
【００４６】
１８は、本発明の別の実施例による軟磁性体を示したものであり、央部の片面に凹部１０を形成したものである。この構造により、軟磁性体の軽量化を図るとともに、強度を維持できる。
【００４７】
１９は、本発明の別の実施例による軟磁性体を示したものであり、央部の両面に凹部１１を形成したものである。この構造により、軟磁性体の軽量化を図るとともに、強度を維持できる。
【００４８】
２０は、本発明の別の実施例による軟磁性体を示したものであり、央部の片面に貫通孔を形成し、貫通孔部に樹脂等の非磁性材の樹脂１３を充填したものである。この構造により、軟磁性体の軽量化を図るとともに、強度を維持できる。
【００４９】
２１は、本発明の別の実施例による軟磁性体を示したものであり、央部に設けた貫通孔１４の形状が円柱状のものを示したものである。貫通孔１４は、この形状に限らず、どのような形状でもよい。貫通孔１４の形状を自由に変えられることにより、種々のアンテナパターンに対応できる。
【００５０】
２２は、本発明の別の実施例による軟磁性体を示したものであり、軟磁性体２２の央部に設けた貫通孔１５を示したものである。軟磁性体２２は軟磁性体１７が複数積層された構造である。１６は、積層体の接合部を示したものである。
【００５１】
６は、軟磁性体５の下方に配置された樹脂スペーサーであり、材質としては、樹脂等を選択することにより軽量化を図ることができる。
【００５２】
７は、金属板で、材料としては、アルミ板等の非磁性が好ましい。
【００５３】
２は、樹脂ケース（本体）であり、８は、樹脂ケース（裏フタ）である。樹脂ケース（本体）２と樹脂ケース（裏フタ）８で、アンテナ基板、磁性材等の部品を挟み込む構成にしたことにより、製造時の組み立ての容易さが増し、各素子の位置決め組み立て寸法精度が向上することにより、性能のばらつきを低減することができる。
【００５４】
以上のような構造を有するＲＦＩＤシステムのアンテナ装置１により、軽量化を図ることが可能となり、背面の金属内で発生する渦電流による共振周波数の変化や損失の増加を抑制しつつ、通信距離を確保できる。
【産業上の利用可能性】
【００５５】
本発明は、商品棚などに収納される非接触ＩＣカードやＩＣタグなどの無線通信媒体に電力と送信データを供給し、無線通信媒体から受信データを負荷変動により取得する無線通信媒体処理装置であって、特に自動で商品管理、書籍管理等が可能となる収納棚、展示棚以外の医薬品管理、危険物管理、貴重品管理システム等々などの、通信範囲を拡大させることが必要な用途にも適用できる。
【図面の簡単な説明】
【００５６】
【図１】（ａ）本発明の実施の形態におけるアンテナ装置の分解状態での斜視図、（ｂ）本発明の実施の形態における軟磁性体の上面図、（ｃ）本発明の実施の形態における軟磁性体の側面図、（ｄ）本発明の実施の形態における軟磁性体の斜視図
【図２】（ａ）本発明の実施の形態における軟磁性体の上面図、（ｂ）本発明の実施の形態における軟磁性体の側面図、（ｃ）本発明の実施の形態における軟磁性体の斜視図
【図３】（ａ）本発明の実施の形態における軟磁性体の上面図、（ｂ）本発明の実施の形態における軟磁性体の側面図、（ｃ）本発明の実施の形態における軟磁性体の斜視図
【図４】（ａ）本発明の実施の形態における軟磁性体の上面図、（ｂ）本発明の実施の形態における軟磁性体の側面図、（ｃ）本発明の実施の形態における軟磁性体の斜視図
【図５】（ａ）本発明の実施の形態における軟磁性体の上面図、（ｂ）本発明の実施の形態における軟磁性体の側面図、（ｃ）本発明の実施の形態における軟磁性体の斜視図
【図６】（ａ）本発明の実施の形態における軟磁性体の上面図、（ｂ）本発明の実施の形態における軟磁性体の側面図、（ｃ）本発明の実施の形態における軟磁性体の斜視図
【図７】（ａ）従来の技術におけるアンテナ装置の断面図、（ｂ）本発明の実施の形態におけるアンテナ装置の断面図
【図８】（ａ）従来の技術におけるアンテナ装置の分解状態での斜視図、（ｂ）従来の技術における軟磁性体の上面図、（ｃ）従来の技術における軟磁性体の側面図、（ｄ）従来の技術における軟磁性体の斜視図
【符号の説明】
【００５７】
１    アンテナ装置
２    樹脂ケース（本体）
３    アンテナパターン
４    整合回路
５    軟磁性体
６    樹脂スペーサー
７    金属板
８    樹脂ケース（裏フタ）
９    貫通孔
１００    アンテナ装置
１０１    樹脂ケース（本体）
１０２    アンテナパターン
１０３    整合回路
１０４    軟磁性体
１０５    樹脂スペーサー
１０６    金属板
１０７    樹脂ケース（裏フタ）
【図１】
2006101109.tif 000003
【図２】
2006101109.tif 000004
【図３】
2006101109.tif 000005
【図４】
2006101109.tif 000006
【図５】
2006101109.tif 000007
【図６】
2006101109.tif 000008
【図７】
2006101109.tif 000009
【図８】
2006101109.tif 000010